(57)【要約】【課題】座席本体の背もたれ部上部にヘッドレスト部が設けられた自転車用幼児座席装置において、ヘッドレスト部を簡単且つ迅速に上げたり降ろしたりできるようにし、もって幼児の載せ降ろしが簡単に行えるようにする。【解決手段】ヘッドレスト部５に支持杆２５が設けられ、座席本体２の背もたれ部４に支持杆受部２６が設けられており、支持杆受部２６と支持杆２５との相互間には、支持杆受部２６に対する支持杆２５の保持高さを係止保持する高さ保持手段３１が設けられており、前記高さ保持手段３１による支持杆２５の係止保持を解除する解放操作部４０が支持杆２５に組み込まれている。【選択図】図１
2010269779.tif 000002
【特許請求の範囲】
【請求項１】
座部（３）と背もたれ部（４）とを有する座席本体（２）を備え、座席本体（２）の背もたれ部（４）上部にヘッドレスト部（５）が設けられた自転車用幼児座席装置において、
ヘッドレスト部（５）には下方へ突出する支持杆（２５）が設けられていると共に、座席本体（２）の背もたれ部（４）にはヘッドレスト部（５）の支持杆（２５）を上下方向へ向けて摺動自在に保持する支持杆受部（２６）が設けられており、
支持杆受部（２６）と支持杆（２５）との相互間には、支持杆受部（２６）に対して支持杆（２５）を所望の高さ位置で係止保持する高さ保持手段（３１）が設けられており、
前記高さ保持手段（３１）による支持杆（２５）の係止保持を解除する解放操作部（４０）が前記支持杆（２５）に組み込まれれている
ことを特徴とする自転車用幼児座席装置。
【請求項２】
前記高さ保持手段（３１）は、支持杆受部（２６）に設けられる段替え爪（３５）と、該段替え爪（３５）に係止・離脱するように支持杆（２５）に設けられたロック爪（３６）と、該支持杆（２５）に上下方向へ摺動可能に設けられ、弾発部材（１１７または１４６）によって前記ロック爪（３６）を前記段替え爪（３５）に対して係止状態に保持し、前記弾発部材（１１７または１４６）に抗して前記ロック爪（３６）を前記段替え爪（３５）から離脱操作するための操作レバー（１０６）とを備えていることを特徴とする請求項１に記載の自転車用幼児座席装置。
【請求項３】
前記ロック爪（３６）は、支持杆（２５）の支軸（１０１）に支持される基部（１０２）と、この基部（１０２）から延びる腕部（１０３）と、この腕部（１０３）の先端の頭部（１０４）とを有しており、
前記操作レバー（１０６）には、前記ロック爪（３６）に対する爪係合解除部（１１５）と爪係合部（１１６）とを前記操作レバー（１０６）の操作方向に対向して設けてあり、その間にロック爪（３６）の腕部（１０３）が配置されており、常時、弾発部材（１１７）によって前記爪係合部（１１６）を介して前記ロック爪（３６）の頭部（１０４）を前記段替え爪（３５）に係止保持させるように組み込んだことを特徴とする請求項２に記載の自転車用幼児座席装置。
【請求項４】
前記支持杆受部（２６）は、前面中央部に支持杆（２５）を上下方向に摺動自在に収容する凹部（１３０）が形成され、この凹部（１３０）の左右両側に該凹部（１３０）に突出するように段替え爪（３５）が上下方向に多段に設けられており、
前記支持杆（２５）は、支持杆受部（２６）の前記凹部（１３０）に上下方向に摺動自在に収容され、前面中央部に操作レバー（１０６）を上下方向に摺動自在に収容する凹部（１３９）が形成されていると共に、左右両側に前記支持杆受部（２６）の段替え爪（３５）を前後方向から挟む２条の突条（１３３，１３４）が上下方向に沿って設けられており、
前記操作レバー（１０６）は、支持杆（２５）の前記凹部（１３９）に上下方向に摺動自在に収容されており、
前記ロック爪（３６）は、操作レバー（１０６）の後面と支持杆（２５）の前面との間に左右対称に配置され、前記支持杆受部（２６）の左右両側の段替え爪（３５）に向けて弾発部材（１４６）の弾発力により左右方向外側に突出係合して支持杆（２５）の高さをその高さ位置で保持可能に設けられ、しかも、操作レバー（１０６）の上向き操作によって、前記弾発部材（１４６）の弾発力に抗して左右方向内側に退入して段替え爪（３５）から離脱させて支持杆（２５）の高さ位置を変更可能に設けられていることを特徴とする請求項２に記載の自転車用幼児座席装置。
【請求項５】
前記ロック爪（３６）は、支持杆（２５）の支軸（１５１）に揺動自在に支持される取付基部（１４７）と、この取付基部（１４７）から下方に伸びる第１腕部（１４８）と、この第１腕部（１４８）の下部に左右方向外側へ突設された頭部（１４９）と、前記取付基部（１４７）から左右方向内側に伸びて操作レバー（１０６）の作動軸（１５３）に係止された第２腕部（１５０）とを左右対称に有しており、
前記左右対称な頭部（１４９）（１４９）間を弓形に湾曲した板バネ形状の弾発部材（１４６）で一体的に連結してあることを特徴とする請求項４に記載の自転車用幼児座席装置。
【請求項６】
前記操作レバー（１０６）は、前記支持杆（２５）の上部に操作頭部（１１２）が設けられており、該操作頭部（１１２）を上向きに操作することによって、前記ロック爪（３６）を前記段替え爪（３５）から離脱操作するように構成されている
ことを特徴とする請求項２、４、５の何れか１項に記載の自転車用幼児座席装置。
【発明の詳細な説明】
【技術分野】
【０００１】
本発明は、自転車用幼児座席装置に関するものである。
【背景技術】
【０００２】
自転車用幼児座席装置は、座部と背もたれ部とを有する座席本体を備え、座席本体の背もたれ部上部にヘッドレスト部が設けられているのが一般的となっている。ヘッドレストは、座部に座った幼児の頭部を後方と側方からガードするためのものであるから、当然に、幼児の頭部まで及ぶ高さを有したものとされている。従来の自転車用幼児座席装置には、幼児の体型やその生育度に合わせてヘッドレスト部の高さ調節ができるように工夫したものもある（例えば、特許文献１や２等参照）。
【０００３】
従来におけるヘッドレスト部の高さ調節は、ヘッドレスト部に対し、下方へ突出する支持杆を設けると共に、座席本体の背もたれ部には、ヘッドレスト部の支持杆を上下方向へ向けて摺動自在に保持する支持杆受部を設けておき、これら両者を前後方向へ締め込み可能にしたボルト等の止め軸で固定する（高さ方向で不動にする）構造としてあった。
すなわち、ヘッドレスト部を高さ調節するには、ボルトやダイヤル式ハンドル等の止め軸を一旦緩め、その状態でヘッドレスト部を上下に動かし、丁度よい高さで止め軸を締め込む、といった手順になる。
【先行技術文献】
【特許文献】
【０００４】
【特許文献１】特開２００７−２０３８７４号公報
【特許文献２】特開２００７−１２５９９３号公報
【発明の概要】
【発明が解決しようとする課題】
【０００５】
従来におけるヘッドレスト部では、その高さ調節をするためにボルトやダイヤル式ハンドル等の止め軸を一旦緩めたり、高さ調節後にまた止め軸を締め込んだりする必要があった。このような操作は片手では行い難く、また相応の操作力も必要なことから両手での作業が必要となっていた。
ところで最近では、自転車用幼児座席装置に対して幼児を載せたり降ろしたりする際にヘッドレスト部が邪魔になるため、ヘッドレスト部を簡単且つ迅速に上げたり降ろしたりできるような構造が要請されるようになってきた。このような要請に対し、従来におけるヘッドレスト部の高さ調節機構は、ヘッドレスト部を簡単且つ迅速に上げたり降ろしたりできるような構造ではなかった。
【０００６】
本発明は、上記事情に鑑みてなされたものであって、座席本体の背もたれ部上部にヘッドレスト部が設けられた自転車用幼児座席装置において、ヘッドレスト部を簡単且つ迅速に上げたり降ろしたりできるようにし、もって幼児の載せ降ろしが簡単に行えるようにした自転車用幼児座席装置を提供することを目的とする。
【課題を解決するための手段】
【０００７】
前記目的を達成するために、本発明は次の手段を講じた。
即ち、本発明に係る自転車用幼児座席装置は、座部と背もたれ部とを有する座席本体を備え、座席本体の背もたれ部上部にヘッドレスト部が設けられたものであって、ヘッドレスト部には下方へ突出する支持杆が設けられていると共に、座席本体の背もたれ部にはヘッドレスト部の支持杆を上下方向へ向けて摺動自在に保持する支持杆受部が設けられている。
【０００８】
そして、支持杆受部と支持杆との相互間には、支持杆受部に対して支持杆を所望の高さ位置で係止保持する高さ保持手段が設けられており、前記高さ保持手段による支持杆の係止保持を解除する解放操作部が前記支持杆に組み込まれている。
このような構成であると、解放操作部を操作することで、ヘッドレスト部の支持杆は高さ保持手段による係止を解かれ、所望の高さ位置へ移動させることができ、その位置で解放操作部から手を離せば、高さ保持手段により支持杆の係止保持が行われるため、ヘッドレスト部を所望の高さ位置で係止保持させることができる。この操作は、片手でできるので、座席本体への幼児の載せ降ろしが簡単に行えるようになる。
【０００９】
前記高さ保持手段は、支持杆受部に設けられる段替え爪と、該段替え爪に係止・離脱するように支持杆に設けられたロック爪と、該支持杆に上下方向へ摺動可能に設けられ、弾発部材によって前記ロック爪を前記段替え爪に対して係止状態に保持し、前記弾発部材に抗して前記ロック爪を前記段替え爪から離脱操作するための操作レバーとを備えたものとすることができる。
【００１０】
この構成によれば、弾発部材によってロック爪を段替え爪に係止させ、その状態を保持させることができるため、人手による操作は、操作レバーによりロック爪を段替え爪から離脱操作することだけとすることができる。このように、段替え爪からロック爪を離脱させると、高さ保持手段による支持杆の係止保持が解除され、支持杆受部に対する支持杆の高さ位置を所望の高さ位置に変更することができ、その位置で操作レバーから手を離せば、弾発部材によってロック爪が当該高さ位置に対応した段替え爪に係止し、その状態を保持する状態となる。
【００１１】
前記ロック爪は、支持杆の支軸に支持される基部と、この基部から延びる腕部と、この腕部の先端の頭部とを有しており、
前記操作レバーには、前記ロック爪に対する爪係合解除部と爪係合部とを前記操作レバーの操作方向に対向して設けてあり、その間にロック爪の腕部が配置されており、常時、弾発部材によって前記爪係合部を介して前記ロック爪の頭部を前記段替え爪に係止保持させるように組み込んだものとすることができる。
【００１２】
この構成によれば、操作レバーの爪係合解除部と爪係合部とによって、操作レバーの操作力をロック爪に確実に伝達して、段替え爪に対する係合保持及び離脱操作を確実に行わせることができる。
前記支持杆受部は、前面中央部に支持杆を上下方向に摺動自在に収容する凹部が形成され、この凹部の左右両側に該凹部に突出するように段替え爪が上下方向に多段に設けられており、
前記支持杆は、支持杆受部の前記凹部に上下方向に摺動自在に収容され、前面中央部に操作レバーを上下方向に摺動自在に収容する凹部が形成されていると共に、左右両側に前記支持杆受部の段替え爪を前後方向から挟む２条の突条が上下方向に沿って設けられており、
前記操作レバーは、支持杆の前記凹部に上下方向に摺動自在に収容されており、
前記ロック爪は、操作レバーの後面と支持杆の前面との間に左右対称に配置され、前記支持杆受部の左右両側の段替え爪に向けて弾発部材の弾発力により左右方向外側に突出係合して支持杆の高さをその高さ位置で保持可能に設けられ、しかも、操作レバーの上向き操作によって、前記弾発部材の弾発力に抗して左右方向内側に退入して段替え爪から離脱させて支持杆の高さ位置を変更可能に設けられていてもよい。
【００１３】
この構成によれば、高さ保持手段の構成をコンパクト化することができ、組立を容易化することができる。
前記ロック爪は、支持杆の支軸に揺動自在に支持される取付基部と、この取付基部から下方に伸びる第１腕部と、この第１腕部の下部に左右方向外側へ突設された頭部と、前記取付基部から左右方向内側に伸びて操作レバーの作動軸に係止された第２腕部とを左右対称に有しており、
前記左右対称な頭部間を弓形に湾曲した板バネ形状の弾発部材で一体的に連結してあってもよい。
【００１４】
この構成によれば、左右のロック爪が弾発部材で一体化されて１部品とされているため、部品点数や組付工数を削減することができる。
前記操作レバーは、前記支持杆の上部に操作頭部が設けられており、該操作頭部を上向きに操作することによって、前記ロック爪を前記段替え爪から離脱操作するように構成されていることが好ましい。
【００１５】
この構成によれば、操作レバーの操作頭部を上向きに操作することによってロック爪を段替え爪から離脱させるものであり、しかも、操作レバーの操作頭部は支持杆の上部に設けてあるため、ヘッドレスト部の高さ変更時、支持杆の上部で操作レバーの操作頭部を片手で上向きに持ち上げることにより、操作レバーを介して支持杆及びヘッドレスト部に自重を吊り下げ支持することができるようになり、これによって、ヘッドレスト部を支持杆とともに上下方向に自由に移動させることができる。また、操作レバーの操作頭部を片手で上向きに押してロック爪を段替え爪から離脱させると、操作レバーには支持杆及びヘッドレスト部の自重が作用することになり、この自重によってロック爪を段替え爪から離脱した状態に保持させておくことができる。これによって、ヘッドレスト部の高さの変更調節操作が片手で容易に行えるようになる。
【発明の効果】
【００１６】
本発明に係る自転車用幼児座席装置では、ヘッドレスト部を簡単且つ迅速に上げたり降ろしたりできるものであり、幼児の載せ降ろしが簡単に行えるようになっている。
【図面の簡単な説明】
【００１７】
【図１】本発明に係る自転車用幼児座席装置の第１実施形態を示した斜視図である。
【図２】本発明に係る自転車用幼児座席装置の第１実施形態を示した側面図である。
【図３】本発明に係る自転車用幼児座席装置の第１実施形態における主要部構造の背面図であって、右半分は断面を示している。
【図４】図３の中央縦断側面図である。
【図５】（Ａ）は第１実施形態における支持杆受部を前面側から見た概略斜視図であり、（Ｂ）と（Ｃ）はヘッドレスト部の支持杆を後面側から見た概略斜視図と前面側から見た概略斜視図である。
【図６】（Ａ）は第１実施形態におけるロック爪の概略斜視図であり、（Ｂ）と（Ｃ）は操作レバーを後面側から見た概略斜視図と前面側から見た概略斜視図である。
【図７】本発明に係る自転車用幼児座席装置の第２実施形態の全体斜視図である。
【図８】第２実施形態のヘッドレスト昇降機構部分の分解斜視図である。
【図９】第２実施形態のヘッドレスト昇降機構部分の組立正面図である。
【図１０】第２実施形態の背もたれ部単体の前面より見た斜視図である。
【図１１】第２実施形態のヘッドレスト部単体の前面より見た斜視図である。
【図１２】第２実施形態のヘッドレスト部単体の後面上方より見た斜視図である。
【図１３】第２実施形態のヘッドレスト部単体の後面下方より見た斜視図である。
【図１４】第２実施形態の操作レバー単体の後面より見た斜視図である。
【図１５】第２実施形態のロック爪単体の正面図である。
【図１６】第２実施形態のヘッドレスト昇降機構部分の組立状態におけるガイド部材取付部付近の横断斜視図である。
【図１７】第２実施形態のヘッドレスト昇降機構部分の組立状態における操作レバー下端部付近の横断斜視図である。
【図１８】第２実施形態のヘッドレスト昇降機構部分の組立状態におけるガイド部材取付部付近から下部までの中央部縦断斜視図である。
【発明を実施するための形態】
【００１８】
以下、本発明の実施の形態を、図面に基づき説明する。
［第１実施形態］
図１乃至図６は、本発明に係る自転車用幼児座席装置１の第１実施形態を示している。図１及び図２に示すように、この幼児座席装置１は、座席本体２の背もたれ部４に対し、その上部にヘッドレスト部５が設けられたものである。
【００１９】
座席本体２は、座部３を有し、この座部３の後部で背もたれ部４が立ち上がるようになっており、座部３の左右両側には側部ガード壁１６が形成されている。これら側部ガード壁１６の後端は背もたれ部４と一体的に連結形成されている。
座部３の下面や側部ガード壁１６の外面などには、自転車への取り付けに用いる適宜固定用構造（図示略）が設けられており、自転車のハンドル上部（ハンドルの中央部）に取付可能になっている。また、左右の側部ガード壁１６における上部間を跨ぐようにして、座部３に座った幼児が握るためのハンドルバー１７が設けられている。
【００２０】
また図例では、側部ガード壁１６の前端同士が座部３の上部前方を横断するように連結されることにより、前ガード１８が形成されたものを示している。この前ガード１８の下部には、必要に応じて着脱することのできる前下ガード１９が付設されたものとしてある。この前下ガード１９は、前方を下方へ下げるように取付姿勢を変更することで、座部３に座った幼児の足置きとして使用することもできるようになっている。このような前ガード１８や前下ガード１９の有無や構造等は特に限定されるものではない。
【００２１】
ヘッドレスト部５は、座部３に座った幼児の頭部をその後方からガードできるように、頭部高さに合わせて設けられている。図例では、幼児の頭部に対して、その左右両脇方へ向けて張り出すようにして、左右ガード部２０が設けられたものを示してある。また、図例のヘッドレスト部５には、幼児がヘルメットを着用しているときでもこのヘルメットとの干渉を避けるため、背もたれ部４の正面を基準としてそれよりも後方へ向けて凹ませた凹部２１が形成されている。
【００２２】
そして、ヘッドレスト部５の後面における左右方向中央部には、図３〜図５に示すように、支持杆２５が一体的に設けられている。この支持杆２５は、ヘッドレスト部５の下方に突出させて設けられている。
この支持杆２５に対応して、座席本体２の背もたれ部４の左右方向中央部には、支持杆受部２６が一体的に設けられている。
【００２３】
支持杆２５と支持杆受部２６との関係は、支持杆受部２６によって支持杆２５を上下方向に向けて摺動自在に保持させるものである。
支持杆受部２６は、図５（Ａ）に示すように、背板部８５と、背板部８５の左右両側に前方に向けて突設された一対の外側板部８６と、一対の外側板部８６の内側で背板部８５から前方に向けて突設された一対の内側板部８７とを有している。
【００２４】
背板部８５の上部中央には、上昇付勢手段３０の収容部８８が形成されており、その上部に第１ガイド部材８９の取付孔９０が形成されている。
外側板部８６には、第２ガイド部材９１のガイド孔９２が上下方向の長孔として形成されている。
内側板部８７の内側には、三角波形の段替え爪３５が左右対称形状で対向して設けられている。
【００２５】
支持杆２５は、図５（Ｂ）（Ｃ）に示すように、ヘッドレスト部５の支柱部材として形成されており、背板部９５と、背板部９５の左右両側に前方に向けて突設された一対の内側板部９６と、一対の内側板部９６の前端から外側へ屈曲延長され、さらに後方へ屈曲延長された一対の外側板部９７と、これらの上部に形成された上蓋部９８とを有している。
背板部９５は、左右方向中央部に第１ガイド部材８９のガイド孔９９が上下方向の長孔として形成されており、また、外側板部９７の下部には第２ガイド部材９１の取付孔１００が形成されている。第１ガイド部材８９が支持杆受部２６側に取り付けられ、第２ガイド部材９１が支持杆２５側に取り付けられ、これら第１ガイド部材８９と第２ガイド部材９１がそれぞれ相手側に上下方向の長孔として形成されているガイド孔９２，９９に摺動可能に嵌合されていることによって、支持杆受部２６に対して支持杆２５が上下方向に摺動自在に保持されている。
【００２６】
背板部９５の前面側の下部の左右両側に前記段替え爪３５と対応するロック爪３６の取付軸１０１が形成されている（図３、図５（Ｃ）参照）。この取付軸１０１は、角軸形状とされている。
ロック爪３６は、左右一対とされ、その形状は、図６（Ａ）に示すように、取付基部１０２と、取付基部１０２から一体に延長された腕部１０３と、腕部１０３の先端（下端）に一体に形成された頭部１０４とを有し、全体が樹脂（例えば、ポリプロピレン樹脂）等で製作されている。
【００２７】
取付基部１０２は、角軸形状の取付軸１０１に嵌合するための角穴を有している。頭部１０４は、三角波状の段替え爪３５に対応する三角凸部形状とされている。腕部１０３は、薄板状に形成されており、取付軸１０１を支点として頭部１０４が左右両外側の段替え爪３５に係合した状態から離脱する方向に戻すように弾性復元可能とされている。
支持杆２５の内側板部９６には、図３、図５（Ｃ）に示すように、前記ロック爪３６の取付軸１０１よりも下方に窓孔１０５が形成されており、この窓孔１０５からロック爪３６の先端の頭部１０４が左右方向に出没可能に装着されている。
【００２８】
支持杆２５の前面側の左右一対の側板部９６間には、図６（Ｂ）（Ｃ）に示すような操作レバー１０６が上下方向に摺動自在に装着されている。
支持杆２５の背板部９５の前面には、図５（Ｃ）に示すように、取付座１０７が前方に向けて突設されている。この取付座１０７は、背板部９５の上下方向に２段で左右方向に２列として合計で４個形成されている。
【００２９】
この取付座１０７に対応して、操作レバー１０６には、図６（Ｂ）（Ｃ）に示すように、上下方向に長孔状とした４個のガイド孔１０８が形成され、このガイド孔１０８を通して第３ガイド部材１０９が前記取付座１０７に取り付けられている（図３、図４参照）。このガイド孔１０８は、第３ガイド部材１０９の頭部が沈む程度の深さの座繰り孔としてあり、孔周囲の座面を第３ガイド部材１０９の頭部座面に僅かな隙間を残して対向させてある。これによって、操作レバー１０６は、支持杆２５に対して、上下方向に摺動自在に取り付けられている。
【００３０】
この操作レバー１０６は、図６（Ｂ）（Ｃ）に示すように、矩形（縦長）板状の主体部１１０と、主体部１１０の左右方向両端から後方に突設された側板部１１１と、主体部１１０の上端から後方に突設された操作頭部１１２と、主体部１１０の下端から後方に突設された底板部１１３とを有しており、側板部１１１の下部と底板部１１３の左右両端との間には爪挿通隙間１１４が切り欠き形成されている。この爪挿通隙間１１４の上側となる側板部１１１下端には、爪係合解除部１１５が形成され、また、爪挿通隙間１１４の下側となる底板部１１３の左右両端には、爪係合部１１６が傾斜案内面として形成されている。
【００３１】
上記底板部１１３の下面と、支持杆２５の背板部９５の前面側下部には、コイルスプリングからなる弾発部材１１７の取付部１１８、１１９が形成され、この取付部１１８，１１９に弾発部材１１７の両端部が取り付けられている。これによって、操作レバー１０６は、支持杆２５に対して、常時、上向きに弾圧され、爪係合部１１６によってロック爪３６が段替え爪３５に係合保持される。この構成が第１実施形態におけるヘッドレスト部５の高さ保持手段３１を構成している。なお、上記操作レバー１０６は、上記とは逆の下向きにバネ等の弾発部材で弾圧させておき、上向きに操作するように構成してもよい。
【００３２】
また、操作レバー１０６の操作頭部１１２は、図４に示すように、支持杆２５の上蓋部９８の上部に形成された窓孔１２０から押し下げ操作可能とされている。この操作頭部１１２を片手で押し下げると、操作レバー１０６が弾発部材１１７の弾圧力に抗して下降し、爪係合解除部１１５によってロック爪３６の腕部１０３が下方に押されて取付軸１０１を中心として下方に回動し、頭部１０４が段替え爪３５から離脱してロック爪３６と段替え爪３５との係合が解除される。この構成が第１実施形態における解放操作部４０を構成している。また、操作レバー１０６は、第１実施形態において、爪移動機構４５を構成していることになる。
【００３３】
上昇付勢手段３０は、ヘッドレスト部５の支持杆２５を上向きに弾圧付勢するものであって、この第１実施形態においては、渦巻きバネを弾発部材１２１として採用したものである。即ち、巻芯部材１２２に始端を係止した渦巻きバネ１２１の終端１２３を、図４に示すように、支持杆２５の背板部９５の後面の下端にネジなどの固着具１２４で固着し、巻芯部材１２２を支持杆受部２６の背板部８５の上部に形成した収容部８８に収容している。この渦巻きバネ１２１は、支持杆受部２６に対して、支持杆２５を、常時、上向きに付勢するように装着されるものである。なお、支持杆２５を支持杆受部２６に対して、常時、上向きに付勢するための手段は、他の構成を採用してもよい。
【００３４】
この第１実施形態においては、操作レバー１０６の操作頭部１１２を片手で押し下げることにより、ロック爪３６を段替え爪３５から離脱させることができる。この状態では、渦巻きバネ１２１によってヘッドレスト部５に上昇方向の付勢力が作用しているため、該付勢力によって支持杆２５を所望の高さまで上昇させて操作頭部１１２から手を離せば、その高さでヘッドレスト部５を係止保持させることができる。
【００３５】
また、操作レバー１０６の操作頭部１１２を片手で押し下げて、ロック爪３６を段替え爪３５から離脱させ、この状態で、操作レバー１０６の操作頭部１１２を渦巻きバネ１２１の上昇方向の付勢力に抗して、さらに押し下げると、ヘッドレスト部５を下げることができる。そして、所望位置までヘッドレスト部５が下がると、操作頭部１１２の押し下げ力を解除すれば、弾発部材１１７によって、支持杆２５に対して操作レバー１０６が押し上げられ、爪係合部１１６によってロック爪３６の頭部１０４が段替え爪３５に係合される。これによって、ヘッドレスト部５を所望の高さに下げた位置で係止保持させることができる。
【００３６】
支持杆２５の外側板９７の内側面には、ロック爪３６の頭部１０４と対向してバックアップ部１２５が形成されており、このバックアップ部１２５は、ロック爪３６と係合する段替え爪３５の内側板８７が変形することを防止し、段替え爪３５とロック爪３６との係合状態の保持を確実に行うようにしている。
［第２実施形態］
図７〜図１８は、本発明に係る自転車用幼児座席装置１の第２実施形態を示している。この第２実施形態の幼児座席装置１は、ヘッドレスト部５に設けられる支持杆２５と、座席本体２の背もたれ部４に設けられる支持杆受部２６と、上昇付勢手段３０と、高さ保持手段３１と、解放操作部４０とを備えている。
【００３７】
座席本体２は、図７に示すように、座部３と、背もたれ部４とを有しており、座部３の左右方向両側に自転車ハンドル１２８への取付部１２９が形成されている。背もたれ部４の左右方向中央部には、図８、図１０に示すように、支持杆受部２６が後方に突出させた状態で上下方向に一体的に形成されている。ヘッドレスト部５には、図８、図１１〜図１３に示すように、支持杆２５が一体的に形成されており、この支持杆２５が背もたれ部４の支持杆受部２６に上下方向に向けて摺動自在に組み込まれている。
【００３８】
支持杆受部２６は、図８、図１０に示すように、前面中央部に支持杆２５を上下方向に摺動自在に収容する凹部１３０が形成され、この凹部１３０の左右両側に段替え爪３５が上下方向に多段に設けられている。この段替え爪３５は、凹部１３０の左右両側の壁部１３１から凹部１３０に突出するように設けられている。段替え爪３５は、三角波形で左右対称に対向して形成されている。左右の段替え爪３５の左右方向外側と凹部１３０の左右両側の壁部１３１との間には、後述する係止部材１３５（図８）の屈曲部１３７が挿入されるガイド隙間１３２が上下方向に所定長さで形成されている。
【００３９】
支持杆２５は、図８、図９、図１２、図１３に示すように、左右両側に段替え爪３５を前後方向から挟む２条の突条１３３、１３４（図１６参照）が左右方向外側に向けて突出形成されている。この２条の突条１３３、１３４は、支持杆２５の上下方向に沿って平行に設けられており、前記支持杆受部２６に設けられている段替え爪３５を前後方向から挟むように支持杆受部２６の上方から挿入される。これにより、支持杆２５は、支持杆受部２６に対して上下方向に摺動自在に組み込まれている。
【００４０】
支持杆２５の下端には、図７〜図９及び図１１〜図１３に示すように、係止部材１３５の係止溝１３６が左右方向全長に亘って形成されており、この係止溝１３６に係止部材１３５を係止することによって、支持杆受部２６に対する支持杆２５の上方への抜け止めを行わせている。そのための構成として、係止部材１３５には、左右方向両端に後方へ屈曲させた屈曲部１３７が形成してある。この屈曲部１３７は、左右の段替え爪３５の左右方向外側と凹部１３０の左右両側の壁部１３１との間のガイド隙間１３２に挿入されている。
【００４１】
ガイド隙間１３２の上端は、図１０に示すように、閉鎖端１３８とされており、この閉鎖端１３８に屈曲部１３７が当接することによって、係止部材１３５の上方への移動を停止させ、この係止部材１３５を介して、支持杆受部２６に対する支持杆２５の上方への抜け止めを行わせている。
支持杆２５の前面における左右方向中央部には、図８、図１１に示すように、操作レバー１０６を上下方向に摺動自在に収容する凹部１３９が形成されている。この凹部１３９の上端は、図１２、図１３に示すように、後方に向けて開放する操作窓部１４０とされている。操作レバー１０６は、図８、図９に示すように、支持杆２５の凹部１３９に上下方向に摺動自在に収容されている。操作レバー１０６の上端には、操作頭部１１２が形成されている。この操作頭部１１２は、前記操作窓部１４０内に上下方向に移動操作可能に収容されている。操作レバー１０６は、操作頭部１１２を操作窓部１４０内で上下方向に移動操作することによって、支持杆２５に対して上下方向に摺動可能とされている。
【００４２】
支持杆２５の凹部１３９の前面における左右方向中央部には、図８、図９、図１１に示すように、ガイド突起１４１とガイド取付座１４２とが突設されている。これに対応して、操作レバー１０６には、図８、図９、図１４に示すように、上下方向に長いガイド孔１４３，１４４が形成されている。ガイド突起１４１は、ガイド孔１４３に挿入されているだけであるが、ガイド取付座１４２とガイド孔１４４とは、別部材としてのガイド部材１４５をガイド孔１４４を通してガイド取付座１４２に取り付けている。ガイド部材１４５は、頭部周囲に鍔部を有し、この鍔部とガイド取付座１４２とで操作レバー１０６をガイド孔１４４の周囲で前後方向に挟むことによって、操作レバー１０６を支持杆２５に分離しないように取り付けている。即ち、支持杆２５と操作レバー１０６は、１本のガイド部材１４５によって結合・分離が可能とされている。このガイド部材１４５は、ネジ形状とされ、ガイド取付座１４２に設けられるナット部材（図示省略）に螺合締結される。
【００４３】
ロック爪３６は、図８、図９に示すように、支持杆２５に取り付けられ、弾発部材１４６によって段替え爪３５に係止保持され、操作レバー１０６によって段替え爪３５から離脱操作可能とされている。即ち、ロック爪３６は、操作レバー１０６の後面と支持杆２５の前面との間（図１８参照）に左右対称に配置（図９参照）され、支持杆受部２６の左右両側の段替え爪３５に向けて弾発部材１４６の弾発力により左右方向外側に突出係合して支持杆受部２６に対する支持杆２５の高さをその位置で保持可能に設けられ、しかも、操作レバー１０６の上向き操作によって、前記弾発部材１４６の弾発力に抗して左右方向内側に退入して段替え爪３５から離脱させて支持杆受部２６に対する支持杆２５の高さ位置を変更可能に設けられている。
【００４４】
左右のロック爪３６は、図９、図１５に示すように、取付基部１４７と、取付基部１４７から下方に伸びる第１腕部１４８と、第１腕部１４８の下部に左右方向外側へ突設された頭部１４９と、前記取付基部１４７から左右方向内側に伸びる第２腕部１５０とをそれぞれ有している。
そして、取付基部１４７は、支持杆２５に前後方向に平行に設けられた支軸１５１（図８、図９、図１１参照）に該支軸１５１回りで揺動自在に枢着支持可能とするための円孔１５２（図９、図１５参照）が形成されている。また、第２腕部１５０は、操作レバー１０６に前後方向に平行に設けられた作動軸１５３（図９、図１４参照）に係止可能とするための左右方向に長い長円孔１５４（図９、図１５参照）が形成されている。さらに、左右の頭部１４９の間には、弾発部材１４６（図９、図１５参照）が配置されている。この弾発部材１４６は、左右の頭部１４９間で弓形に湾曲した板バネ形状とされていると共に、左右の頭部１４９と一体化されている。左右の頭部１４９は、三角波形の段替え爪３５に係合するよう左右方向外側に突出する三角形状の先端部を有している。
【００４５】
左右のロック爪３６は、樹脂製とした場合を例示しているが、金属製としてもよい。支持杆２５の左右両側の壁面には、ロック爪３６の頭部１４９が出入りする窓孔１５５（図８、図１１、図１３参照）が形成されている。
支持杆受部２６と支持杆２５との間には、支持杆受部２６に対して、支持杆２５を上向きに付勢する上昇付勢手段３０（図１０参照）が設けられている。この上昇付勢手段３０は、渦巻きバネ１５６の外端を支持杆受部２６の前面上部に固着し、内端を巻芯部材１５７の巻芯に巻き付け固着して、常時、巻取り方向の弾力を付勢させてあり、該巻芯部材１５７を下方に引き下げて渦巻きバネ１５６を巻戻し方向に引き出すことにより、該巻芯部材１５７に上向きの復元弾力が発生するようにしてある。この巻芯部材１５７は、支持杆２５の後面下部に設けた凹部１５８（図１２、図１３、図１７参照）に収納保持（巻芯部材を単に四角形の空間内に回転自在に収納保持している場合と、巻芯部材の巻芯軸を軸受溝に回転自在に保持するようにした場合との何れでもよい）される。これによって、支持杆２５を支持杆受部２６に対して上向きに付勢するようにしている。支持杆２５の後面には、凹溝１５９（図１２、図１３、図１６参照）が上下方向に形成されており、この凹溝１５９は、上昇付勢手段３０の渦巻きバネ１５６が引き出されたときの板バネ部分を収容するための空間を形成し、同時に、板バネ部分が左右方向にずれないようにガイドさせるために設けられている。
【００４６】
第２実施形態は、以上の構成から成っており、次に、動作を説明する。
通常の状態においては、左右のロック爪３６は、弾発部材１４６によって段替え爪３５に係止した状態を保持している。これによって、支持杆２５は、支持杆受部２６の任意の高さ位置でロックされた状態を保持している。即ち、ヘッドレスト部５は、背もたれ部４の任意の高さ位置でロックされている。これが第２実施形態における高さ保持手段３１となっている。
【００４７】
ヘッドレスト部５の高さを変更するには、操作レバー１０６の操作頭部１１２を上向きに引き上げる。これにより、ロック爪３６の第２腕部１５０が作動軸１５３によって上向きに引き上げられ、第２腕部１５０と一体の第１腕部１４８が弾発部材１４６の弾発力に抗して支軸１５１を中心として回動して左右の頭部１４９を左右方向内側に退入させる。これにより、ロック爪３６が段替え爪３５から離脱する。これにより、支持杆２５は、支持杆受部２６に対して、上下方向に移動自在となる。即ち、ヘッドレスト部５は、背もたれ部４に対して、任意の高さに変更可能となる。これが第２実施形態における解放操作部４０となっている。
【００４８】
支持杆２５は、支持杆受部２６に対して、上昇付勢手段３０により、上向きの付勢力が付与されているため、ロック爪３６が段替え爪３５から離脱されると、上向きに移動（上昇）する。そこで、背もたれ部４に対するヘッドレスト部５の所望の高さ位置で、操作レバー１０６の操作頭部１１２を上向きに引き上げる力を除去すれば、弾発部材１４６によって左右のロック爪３６の頭部１４９が左右方向外側に押し出され、当該高さ位置に対応する段替え爪３５に係合してロックする。
【００４９】
ヘッドレスト部５の高さの変更は、上げる場合と下げる場合とがあるが、上げる場合は、上昇付勢手段３０の上昇付勢力を利用して比較的楽に上げることができる。下げる場合は、上昇付勢手段３０の上昇付勢力に抗して下げることになる。この上昇付勢力は、ヘッドレスト部５の自重を打ち消す程度か、それよりも大きくしておくのが好ましい。なお、上昇付勢力は、ヘッドレスト部５の自重よりも小さい場合であっても、その分だけ、上げ下げに必要な力を減少させることができる。
【００５０】
上記第２実施形態は、第１実施形態に比較して、構造を簡略化したものである。例えば、ロック爪３６は、２部材になっていたものを１部材にしたこと、及び、支持杆２５と操作レバー１０６との間に収容空間を形成して、その空間にロック爪３６を収容したこと、また、支持杆２５に対する操作レバー１０６の案内構造を単純化したこと、さらに、支持杆受部２６に対する支持杆２５の支持構造を簡単化したこと、また、上昇付勢手段３０を外部に張り出さないように工夫していること、その他、部品点数を減少させ、組付工数を少なくしたこと等が挙げられる。
［その他］
ところで、本発明は、上記各実施形態に限定されるものではなく、実施の形態に応じて適宜変更可能である。
【００５１】
例えば、座席本体２の細部構造や形状、デザイン、及びヘッドレスト部５の細部構造や形状、デザインなどは何ら限定されるものではない。
また、上昇付勢手段３０は、省略して実施してもよい。さらに、第２実施形態において、左右のロック爪３６の間の弾発部材１４６は、左右のロック爪３６と同一部材で一体的に形成した場合を例示しているが、この弾発部材１４６は、金属製の板バネ、または、コイルバネで構成してもよい。
【産業上の利用可能性】
【００５２】
本発明の自転車用幼児座席装置は、自転車のハンドル上部（ハンドルの中央部）に取り付けるようにした場合を例示したが、これ以外でもよく、例えば、自転車のハンドル前部、ハンドル後部又は自転車の後部（荷台部）などに取り付けてもよい。
【符号の説明】
【００５３】
１  幼児座席装置
２  座席本体
３  座部
４  背もたれ部４
５  ヘッドレスト部
２５  支持杆
２６  支持杆受部
３１  高さ保持手段
４０  解放操作部
４１  下降操作部
３５  段替え爪
３６  ロック爪
４５  爪移動機構
１０１  支軸（第１実施形態）
１０２  基部（第１実施形態）
１０３  腕部（第１実施形態）
１０４  頭部（第１実施形態）
１０６  操作レバー（第１、第２実施形態）
１１５  爪係合解除部（第１実施形態）
１１６  爪係合部（第１実施形態）
１１７  弾発部材（第１実施形態）
１４６  弾発部材（第２実施形態）
１４７  取付基部（第２実施形態）
１４８  第１腕部（第２実施形態）
１４９  頭部（第２実施形態）
１５０  第２腕部（第２実施形態）
【図１】
2010269779.tif 000003
【図２】
2010269779.tif 000004
【図３】
2010269779.tif 000005
【図４】
2010269779.tif 000006
【図５】
2010269779.tif 000007
【図６】
2010269779.tif 000008
【図７】
2010269779.tif 000009
【図８】
2010269779.tif 000010
【図９】
2010269779.tif 000011
【図１０】
2010269779.tif 000012
【図１１】
2010269779.tif 000013
【図１２】
2010269779.tif 000014
【図１３】
2010269779.tif 000015
【図１４】
2010269779.tif 000016
【図１５】
2010269779.tif 000017
【図１６】
2010269779.tif 000018
【図１７】
2010269779.tif 000019
【図１８】
2010269779.tif 000020